【手続補正書】
【提出日】平成30年7月13日(2018.7.13)
【手続補正１】
【補正対象書類名】特許請求の範囲
【補正対象項目名】全文
【補正方法】変更
【補正の内容】
【特許請求の範囲】
【請求項１】
存在物（１０８）を表す存在物の感覚表現（１０２）を受信するトランスフォーマー（１００）を備え、
前記存在物の感覚表現（１０２）は、前記存在物（１０８）の部分である複数のアイテム（１１０）を表す複数の感覚表現（１１２）を備えており、
前記複数のアイテム（１１０）の各々が、一組の測定可能な関心要因（１２４）に対する一組の値（１３０）に関連しており、
前記トランスフォーマー（１００）は、前記複数のアイテム（１１０）の各々に関連する前記一組の値（１３０）に基づいて、前記複数の感覚表現（１１２）の各々に対する、一組の倍率（１３８）を計算し、
前記トランスフォーマー（１００）は、前記一組の倍率（１３８）を使用して前記複数の感覚表現（１１２）を修正することにより、複数の修正された感覚表現（１３２）を生成し、
前記複数の修正された感覚表現（１３２）が、前記一組の測定可能な関心要因（１２４）に関する前記複数の修正された感覚表現（１３２）によって表される前記複数のアイテム（１１０）間の相対的な関係性を規定し、
前記トランスフォーマー（１００）は、前記一組の測定可能な関心要因（１２４）をモニターするように設定された１以上のセンサシステムから時間をかけて連続的に前記一組の値（１３０）を取得し、
前記トランスフォーマー（１００）は、前記一組の値（１３０）が変化する際に、実質的にリアルタイムで前記複数の修正された感覚表現（１３２）をアップデートするように前記一組の倍率（１３８）を調整する、装置。
【請求項２】
前記トランスフォーマー（１００）は、コンピュータシステム（１０６）を使用して実装される、請求項１に記載の装置。
【請求項３】
前記トランスフォーマー（１００）は、前記複数の修正された感覚表現（１３２）を使用して、変換された存在物の感覚表現（１０４）を生成する、請求項１に記載の装置。
【請求項４】
更に出力デバイス（１５０）を備え、
前記出力デバイス（１５０）は、人間の感覚の少なくとも１つを使用して、前記一組の測定可能な関心要因（１２４）に関する前記複数の修正された感覚表現（１３２）によって表される前記複数のアイテム（１１０）間の相対的な関係性を規定する、前記変換された存在物の感覚表現（１０４）を出力する、請求項３に記載の装置。
【請求項５】
前記複数の感覚表現（１１２）の各々の感覚表現は、一組のパラメータ（１３６）に関連し、
前記一組のパラメータ（１３６）の各々は拡大縮小可能であり、
前記トランスフォーマー（１００）は、前記複数の感覚表現（１１２）の各々に対応する前記一組の倍率（１３８）を使用して、前記複数の感覚表現（１１２）の各々に対する前記一組のパラメータ（１３６）を調整することにより、前記複数の修正された感覚表現（１３２）を生成する、請求項１に記載の装置。
【請求項６】
前記存在物の感覚表現（１０２）は、視覚（１１４）、聴覚（１１６）、臭覚（１１８）、触覚（１２０）、又は味覚（１２２）の少なくとも１つを使用して、前記存在物（１０８）を表す、請求項１に記載の装置。
【請求項７】
前記存在物の感覚表現（１０２）は存在物の画像（１４２）であり、前記複数の感覚表現（１１２）は複数の画像部分（１４４）であり、
前記トランスフォーマー（１００）は、前記一組の倍率（１３８）を使用して、前記複数の画像部分（１４４）を修正することにより、変換された存在物の画像（１４８）を生成し、
前記トランスフォーマー（１００）は、前記変換された存在物の画像（１４８）を視覚的に提示するための全ディスプレイ領域を特定し、前記複数の画像部分（１４４）の各々に対する複数のディスプレイ領域（４００）を特定し、前記複数の画像部分（１４４）に対して特定された前記一組の倍率（１３８）を使用して、前記複数の画像部分（１４４）の各々に対して前記複数のディスプレイ領域（４００）を調整することにより、複数の修正されたディスプレイ領域を生成し、
前記トランスフォーマー（１００）は、前記複数の修正されたディスプレイ領域を使用して、複数の修正された画像部分（１４６）を生成し、前記全ディスプレイ領域内での前記複数の修正された画像部分（１４６）の相互の位置を調整することにより、前記変換された存在物の画像（１４８）を生成する、請求項１に記載の装置。
【請求項８】
前記変換された存在物の画像（１４８）のディスプレイを視覚的に提示するディスプレイデバイス（１５２）を更に備え、前記変換された存在物の画像（１４８）は、前記一組の測定可能な関心要因（１２４）に関する前記複数の修正された感覚表現（１３２）によって表される前記複数のアイテム（１１０）間の相対的な関係性を視覚的に規定する、請求項７に記載の装置。
【請求項９】
存在物（１０８）を表す存在物の感覚表現（１０２）を修正するためのコンピュータで実施される方法であって、
前記存在物（１０８）を表す前記存在物の感覚表現（１０２）を受信すること（１６００）を有しており、
前記存在物の感覚表現（１０２）は、前記存在物（１０８）の部分である複数のアイテム（１１０）を表す複数の感覚表現（１１２）を有しており、
前記複数のアイテム（１１０）の各々は、一組の測定可能な関心要因（１２４）に対する一組の値（１３０）に関連しており、
前記方法が、
前記複数のアイテム（１１０）の各々に関連する前記一組の値（１３０）に基づいて、前記複数の感覚表現（１１２）の各々に対する一組の倍率（１３８）を計算すること（１６０２）と、
前記一組の倍率（１３８）を使用して、前記複数の感覚表現（１１２）を修正することにより、複数の修正された感覚表現（１３２）を生成すること（１６０４）を有しており、
前記複数の修正された感覚表現（１３２）は、前記一組の測定可能な関心要因（１２４）に関する前記複数の修正された感覚表現（１３２）によって表される前記複数のアイテム（１１０）間の相対的な関係性を規定し、
前記一組の測定可能な関心要因（１２４）をモニターするように設定された１以上のセンサシステムから時間をかけて連続的に前記一組の値（１３０）を取得し、
前記一組の値（１３０）が変化する際に、実質的にリアルタイムで前記複数の修正された感覚表現（１３２）をアップデートするように前記一組の倍率（１３８）を調整する、コンピュータで実施される方法。
【請求項１０】
前記存在物の感覚表現（１０２）を受信することは、
前記複数の感覚表現（１１２）を含む前記存在物の感覚表現（１０２）を受信することを有しており、
前記複数の感覚表現（１１２）の各々は、一組のパラメータ（１３６）に関連する、請求項９に記載のコンピュータで実施される方法。
【請求項１１】
前記複数の感覚表現（１１２）の各々に対する前記一組のパラメータ（１３６）を正規化することを更に有しており、
前記複数の感覚表現（１１２）を修正することは、
前記複数の感覚表現（１１２）の各々に対応する前記一組の倍率（１３８）を使用して、前記複数の感覚表現（１１２）の各々に対する前記一組のパラメータ（１３６）を調整することにより、前記複数の修正された感覚表現（１３２）を生成することを有する、請求項１０に記載のコンピュータで実施される方法。
【請求項１２】
前記複数の修正された感覚表現（１３２）を使用して、変換された存在物の感覚表現（１０４）を生成すること（１９０４）と、
人間の感覚の少なくとも１つを使用して、前記一組の測定可能な関心要因（１２４）に関する前記複数の修正された感覚表現（１３２）によって表される前記複数のアイテム（１１０）間の相対的な関係性を規定する、前記変換された存在物の感覚表現（１０４）を出力すること（１９０６）を更に有する、請求項９に記載のコンピュータで実施される方法。
【請求項１３】
前記存在物の感覚表現（１０２）を受信することは、
複数の画像部分（１４４）を有する存在物の画像（１４２）を受信することを有しており、
前記複数の感覚表現（１１２）を修正することは、
前記複数の画像部分（１４４）の各々に対して特定された前記一組の倍率（１３８）を使用して、前記複数の画像部分（１４４）を修正することにより、変換された存在物の画像（１４８）を生成することを有する、請求項９に記載のコンピュータで実施される方法。
【請求項１４】
前記複数の画像部分（１４４）を修正することは、
前記変換された存在物の画像（１４８）を視覚的に提示するための全ディスプレイ領域を特定することと、
前記全ディスプレイ領域に対して、前記複数の画像部分（１４４）の各々に対する複数のディスプレイ領域（４００）を特定することと、
前記複数の画像部分（１４４）に対して特定された前記一組の倍率（１３８）を使用して、前記複数の画像部分（１４４）の各々に対する前記複数のディスプレイ領域（４００）を調整することにより、複数の修正されたディスプレイ領域を生成することと、
前記複数の修正されたディスプレイ領域を使用して、複数の修正された画像部分（１４６）を生成することと、
前記全ディスプレイ領域内での前記複数の修正された画像部分（１４６）の相互の位置を調整することにより、前記変換された存在物の画像（１４８）を生成することを有する、請求項１３に記載のコンピュータで実施される方法。